(57)【要約】【課題】取り付けが容易でハレーション防止を可能にした内視鏡用観察補助具を提供すること。【解決手段】挿入部先端３１に観察光学系３２及び照明用光学系３３が配設されている内視鏡３０を用いて内部の観察壁面３を観察するために設けられた貫通孔に装着される内視鏡用観察補助具１０であって、観察光学系３２と対向する位置に配設される観察光透過部材１１と、照明光学系３３と対向する位置に配設される照明光透過部材１２と、観察光透過部材１１及び照明光透過部材１２の間に配設される遮光部１３とを具備して一体に構成した。【選択図】図１ 
2005323844.tif 000002
【特許請求の範囲】
【請求項１】
先端部に観察光学系及び照明用光学系が配設されている内視鏡を用いて内部を観察するために設けられた観察対象の壁面開口部に装着される内視鏡用観察補助具であって、
前記観察光学系と対向する位置に配設される第１光透過部材と、
前記照明光学系と対向する位置に配設される第２光透過部材と、
前記第１光透過部材及び前記第２光透過部材の間に配設される遮光部とを具備して一体に構成したことを特徴とする内視鏡用観察補助具。
【請求項２】
前記遮光部は、前記第１光透過部材及び前記第２光透過部材の間に挟持された板状部材であることを特徴とする請求項１に記載の内視鏡用観察補助具。
【請求項３】
前記遮光部は、前記第１光透過部材及び前記第２光透過部材のいずれか一方の接合面に形成された遮光膜であることを特徴とする請求項１に記載の内視鏡用観察補助具。
【請求項４】
前記遮光部を配設する前記第１光透過部材及び前記第２光透過部材の挟持面にはテーパーが形成されていることを特徴とする請求項１に記載の内視鏡用観察補助具。
【請求項５】
前記第２光透過部材の出光端面に光拡散処理を施したことを特徴とする請求項１から４のいずれかに記載の内視鏡用観察補助具。
【請求項６】
前記第２光透過部材の出光端面が、照明光を観察方向へ屈折させる傾斜面に形成されていることを特徴とする請求項１から５のいずれかに記載の内視鏡用観察補助具。
【請求項７】
前記第１光透過部材を前記観察光学系側が小径の円錐台形状とし、前記第２光透過部材に形成した中空部に嵌合して一体化したことを特徴とする請求項１に記載の内視鏡用観察補助具。
【請求項８】
先端部に観察光学系及び照明用光学系が配設されている内視鏡を用いて内部を観察するために設けられた観察対象の壁面開口部に装着される内視鏡用観察補助具の製造方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる母材を形成し、該母材を所望の形状に加工したことを特徴とする内視鏡用観察補助具の製造方法。
【請求項９】
先端部に観察光学系及び照明用光学系が配設されている内視鏡を用いて内部を観察する内視鏡観察方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる内視鏡用観察補助具を観察対象の壁面開口部に装着し、該内視鏡用観察補助具に前記内視鏡の先端部を所定位置に合わせて当接させながら観察することを特徴とする内視鏡観察方法。
【発明の詳細な説明】
【技術分野】
【０００１】
本発明は、容器や管路等の内部状況を内視鏡で観察するのに用いられる内視鏡用観察補助具に関し、さらに、この内視鏡用観察補助具の製造方法及びこの内視鏡用観察補助具を用いた内視鏡観察方法に関する。
【背景技術】
【０００２】
従来より、タンク等の容器類や配管等の管路においては、その内部状況を外部から目視で観察するため観察用の窓（以下、観察窓と呼ぶ）を設け、この窓から内視鏡により内部状況（内壁面の様子や流体の流れなど）を観察することが行われている。
このような観察に使用する内視鏡は、その先端部に観察用の光学系と照明用の光学系とが並んで設けられている。一方の観察光学系にはＣＣＤ等の撮像部があり、ここで撮像した内部状況はプロセッサーによりテレビ画像に変換され、この映像をテレビモニター上に映して目視により観察することができる。また、他方の照明光学系にはライトガイドファイバー及び光源ランプが接続され、上述した観察光学系による観察範囲を広く照らして鮮明な画像が得られるようになっている。
【０００３】
上述した観察窓に関する従来技術としては、たとえば絶縁媒体としてＣＯ２ ガスを封入したガス絶縁機器の劣化診断を高精度に行うため、内部に収容された変色指示材の色彩変化を外部から常時監視できるように、小形タンクの側部に内部観察窓を設けたガス機器診断システムが開示されている。（たとえば、特許文献１参照）
【特許文献１】特開２００４−２８８４８号公報
【発明の開示】
【発明が解決しようとする課題】
【０００４】
ところで、上述した観察窓を設ける場合には、容器類等の壁面に開口部を設けて薄いガラス板等を嵌め込んだ密閉構造とする必要があるため、ガラス板等の固定が困難になるという問題を有している。また、筒状の部材を容器内に突設し、その先端部にガラス窓を取り付けて観察窓とする構成の場合、構成部品点数が増加するという問題を有している。
【０００５】
さらに、上述した観察窓に内視鏡を装着して照明を同時に行うと、照明光が反射して観察光学系に入射してしまい、ハレーションを起こして観察できないことがあった。このようなハレーション対策として、観察用の窓と照明用の窓とを別々に設けることが考えられる。しかし、二つの窓を設ける場合にはそれぞれの窓を設けるための設置場所が必要となることに加えて、両窓の位置関係に制約を受けるという問題が生じてくる。なお、照明用の窓を別設置してハレーション対策とする場合には、内視鏡の照明光学系を使用できないため、内視鏡とは別に照明用装置を設けることが必要となる。
【０００６】
このように、従来の観察窓には種々の問題点があるため、ハレーションを防止して適切な照明を行い、鮮明な映像を観察することができるとともに、取り付けが容易な内視鏡用観察補助具が望まれる。また、このような内視鏡用観察補助具を容易に製造するための内視鏡用観察補助具の製造方法に加えて、同内視鏡用観察補助具を用いた内視鏡観察方法が望まれる。
本発明は、上記の事情に鑑みてなされたものであり、その目的とするところは、取り付けが容易でハレーション防止を可能にした内視鏡用観察補助具、内視鏡用観察補助具の製造方法、及び内視鏡観察方法を提供することにある。
【課題を解決するための手段】
【０００７】
本発明は、上記の課題を解決するため、下記の手段を採用した。
本発明に係る内視鏡用観察補助具は、先端部に観察光学系及び照明用光学系が配設されている内視鏡を用いて内部を観察するために設けられた観察対象の壁面開口部に装着される内視鏡用観察補助具であって、
前記観察光学系と対向する位置に配設される第１光透過部材と、前記照明光学系と対向する位置に配設される第２光透過部材と、前記第１光透過部材及び前記第２光透過部材の間に配設される遮光部とを具備して一体に構成したことを特徴とするものである。
【０００８】
このような内視鏡用観察補助具によれば、観察光学系と対向する位置に配設される第１光透過部材と、照明光学系と対向する位置に配設される第２光透過部材と、第１光透過部材及び第２光透過部材の間に配設される遮光部とを具備して一体に構成したので、観察光学系と照明光学系とが遮光部によって遮断され、照明光が観察光学系に回り込むようなことはない。従って、照明光が観察光学系に入り込むことにより発生するハレーションを防止することができ、これを観察用の開口部に螺合するなどして装着すれば、取り付けが容易な内視鏡用観察補助具となる。
【０００９】
上述した内視鏡用観察補助具において、前記遮蔽部は、前記第１光透過部材及び前記第２光透過部材の間に挟持された板状部材（遮光板）でもよいし、あるいは、前記第１光透過部材及び前記第２光透過部材のいずれか一方の接合面に形成された遮光膜でもよい。
また、上述した内視鏡観察補助具において、前記遮光部を配設する前記第１光透過部材及び前記第２光透過部材の挟持面にはテーパーが形成されていることが好ましく、特に、第１光透過部材がより多くの視野を確保できるような断面形状としたテーパーを形成すればよい。
【００１０】
上述した内視鏡用観察補助具において、前記第２光透過部材の出光端面に光拡散処理を施すことが好ましく、これにより、明暗のムラがない均一な照明光を広範囲に照射することができる。なお、光拡散処理の具体例としては、たとえば出光端面を磨りガラス状の砂目（拡散部）とすればよい。
【００１１】
上述した内視鏡用観察補助具において、前記第２光透過部材の出光端面は、照明光を観察方向へ屈折させる傾斜面に形成されていることが好ましく、これにより、照明光を視野方向へ屈折させることができる。
【００１２】
上述した内視鏡用観察補助具において、前記第１光透過部材を前記観察光学系側が小径の円錐台形状とし、前記第２光透過部材に形成した中空部に嵌合して一体化してもよく、これにより、たとえば硬性鏡等のように観察光学系と照明光学系とが同心に配置された内視鏡装置に適したものとなる。
【００１３】
本発明に係る内視鏡用観察補助具の製造方法は、先端部に観察光学系及び照明用光学系が配設されている内視鏡を用いて内部を観察するために設けられた観察対象の壁面開口部に装着される内視鏡用観察補助具の製造方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる母材を形成し、該母材を所望の形状に加工したことを特徴とするものである。
【００１４】
このような内視鏡用観察補助具の製造方法によれば、観察光学系と対向する位置に配設される第１光透過部材と、照明光学系と対向する位置に配設される第２光透過部材と、第１光透過部材及び第２光透過部材の間に配設される遮光部とを一体化してなる母材を形成し、該母材を所望の形状に加工して製造するので、所望の形状に加工してから貼り合わせ等により一体化する場合と比較して、互いの位置精度確保が容易になり、特に気密性の高い内視鏡用観察補助具の製造が容易になる。
【００１５】
本発明の内視鏡観察方法は、先端部に観察光学系及び照明用光学系が配設されている内視鏡を用いて内部を観察する内視鏡観察方法であって、
前記観察光学系と対向する位置に配設される第１光透過部材と、前記照明光学系と対向する位置に配設される第２光透過部材と、前記第１光透過部材及び前記第２光透過部材の間に配設される遮光部とを一体化してなる内視鏡用観察補助具を観察対象の壁面開口部に装着し、該内視鏡用観察補助具に前記内視鏡の先端部を所定位置に合わせて当接させながら観察することを特徴とするものである。
【００１６】
このような内視鏡観察方法によれば、観察光学系と対向する位置に配設される第１光透過部材と、照明光学系と対向する位置に配設される第２光透過部材と、第１光透過部材及び第２光透過部材の間に配設される遮光部とを一体化してなる内視鏡用観察補助具を観察対象の壁面開口部に装着し、該内視鏡用観察補助具に内視鏡の先端部を所定位置に合わせて当接させながら観察するので、遮光部が照明光学系から観察光学系へ回り込む照明光を遮断してハレーションを防止し、観察対象を適切に照明して鮮明な映像を観察することができる。
【発明の効果】
【００１７】
上述した本発明によれば、観察光学系の光透過部材と照明光学系の光透過部材とを遮光部により遮断した構成の内視鏡用観察補助具としたので、照明光学系の照明光が観察光学系へ回り込んで発生するハレーションを防止できるようになり、従って、観察対象を適切に照明して鮮明な映像を観察可能な内視鏡用観察補助具を提供できるという顕著な効果が得られる。このような構成の内視鏡用観察補助具は、これを観察用の開口部に螺合するなどして装着するようにすれば、取り付けが容易な内視鏡用観察補助具となる。
【００１８】
また、観察光学系と対向する位置に配設される光透過部材と、照明光学系と対向する位置に配設される光透過部材と、両光透過部材間に配設される遮光部とを一体化した母材を形成し、この母材を所望の形状に加工して内視鏡観察補助具を製造する製造方法を採用することにより、完成時における両透過部材間の位置精度を容易に確保して気密性の高い内視鏡用観察補助具を製造できるという顕著な効果が得られる。
【００１９】
また、観察光学系と対向する位置に配設される光透過部材と、照明光学系と対向する位置に配設される光透過部材と、両光透過部材間に配設される遮光部とを一体化してなる内視鏡用観察補助具を観察対象の壁面開口部に装着し、この内視鏡用観察補助具に内視鏡の先端部を所定位置に合わせて当接させながら観察する観察方法を採用することにより、遮光部が照明光学系から観察光学系へ回り込む照明光を遮断してハレーションを防止し、観察対象を適切に照明して鮮明な映像を観察できるという顕著な効果が得られる。
【発明を実施するための最良の形態】
【００２０】
以下、本発明に係る内視鏡用観察補助具の一実施形態を図面に基づいて説明する。
内視鏡用観察補助具は、タンク等の容器類や配管等の管路において、たとえば内壁面の様子や流体の流れなど内部状況を内視鏡により外部から目視で観察するために使用される観察窓の機能を有するものである。
【００２１】
図１ないし図５に示す第１の実施形態において、内視鏡用観察補助具（以下、「観察補助具」と呼ぶ）１０は、観察時に内視鏡３０の挿入部先端３１を突き当てるようにして使用される。この観察補助具１０は、内視鏡３０の観察光学系３２と対向する位置に配設される観察光透過部材（第１光透過部材）１１と、内視鏡３０の照明光学系３３と対向する位置に配設される照明光透過部材（第２光透過部材）１２と、観察光透過部材１１及び照明光透過部材１２の間に配設される遮光部１３とを具備して一体に構成されている。
【００２２】
ところで、内視鏡３０には、図８（ａ）に示すように、観察光学系３２と照明光学系３３とが並んで配設された通常タイプ（以下、「通常型」と呼ぶ）の挿入部先端３１と、図８（ｂ）に示すように、たとえば硬性鏡等のように観察光学系３２とリング状の照明光学系３３とが同心円状に配設された同心円タイプ（以下、「硬性鏡型」と呼ぶ）の挿入部先端３１Ａとがある。
以下に説明する第１の実施形態では、通常タイプの挿入部先端３１に対応する観察補助具１０について説明する。
【００２３】
さて、第１の実施形態の観察補助具１０は、観察光透過部材１１と照明光透過部材１２との間に遮光部１３を挟持して一体化した円柱形状の部品とされる。そして、円柱形状とした観察補助具１０の挿入方向外側の端部には、たとえば図３ないし図５に示すように、挿入限界を規定するフランジ部１４が設けられている。このフランジ部１４には、内視鏡３０の挿入部先端３１を保持するため、円柱を軸方向に２分割して半円形断面の凹溝部１５ａを形成した鉛直固定面１５が設けられている。
上述した凹溝部１５ａには、内視鏡３０の挿入部先端３１が嵌合される。この状態で同様の凹溝部１６ａが形成された固定部材１６を固定ボルト１７により取り付ければ、挿入部先端３１を挟持して所定の観察位置に保持することができる。
【００２４】
上述した観察補助具１０の観察光透過部材１１及び照明光透過部材１２は、たとえば透明な樹脂等のように光を透過する素材を所望の形状に成形した部品である。このうち、一方の観察光透過部材１１は、鮮明な映像で観察できるようにするため、観察光が通過する方向の両端面（観察光の出入口となる端面）をバフ仕上げ等により滑らかな面となるよう加工する。しかし、照明光透過部材１２については、照明光の入口側（内視鏡先端部３１を当接させる面）はバフ仕上げなど観察光透過部材１１と同様の加工を行って滑らかな面に仕上げるが、出口側端面（出光端面）については、たとえば表面に細かい凹凸をつけて磨りガラス状（砂目）とした光拡散処理を施すことが好ましい。このような光拡散処理を施した拡散部１９を形成することにより、照明光透過部材１２の内部で照明光が反射や干渉することにより生じる明暗のムラが解消されるので、明暗のムラがなく照明に適した照明光を観察対象に向けて広範囲に照射することが可能になる。
【００２５】
また、遮光部１３には、たとえば金属板や濃い色の樹脂板等のように、光を通さない遮光性の板状部材が用いられている。
この場合、遮光部１３を配設する観察光透過部材１１及び照明光透過部材１２の挟持面には、傾斜角度を比較的小さく設定したテーパーが形成された楔形とされる。すなわち、観察光透過部材１１がより多くの視野を確保できるようにするため、観察光透過部１１の断面積が外側から内側へ向けて挿入方向へ徐々に大きくなり、反対に照明光透過部材１２は挿入方向へ徐々に小さくなるようなテーパー面とされ、このような楔形の両透過部材１１，１２間に遮光部１３を挟持して一体化することにより、全体が円柱形の観察補助具１０となる。
【００２６】
このように構成された観察補助具１０は、観察位置へ挿入した時の固定用として、たとえば円柱の外周面に外ねじ１８（図５参照）を形成してある。この外ねじ１８は、観察対象となる容器壁面１を貫通して設けられている貫通孔２の内ねじ２ａとの間に、図示省略の適当な封止手段（シール材やパッキンなど）を介在させて螺合するようになっている。なお、この場合の観察補助具１０は、貫通孔２に常時取り付けておくものでもよいし、あるいは、通常は貫通孔２にボルト等の着脱可能な封鎖部材を取り付けて閉じておき、観察時のみ封鎖部材と交換して使用するようにしてもよい。
【００２７】
上述した構成の観察補助具１０は、たとえば図６に示すようにして製造される。なお、図６においては、フランジ部１４及び鉛直固定面１５が省略されている。
この製造方法では、図６（ａ）に示すように、最初の第１工程で最終形状より大きな観察光透過部材１１′、照明光透過部材１２′及び遮光部１３′の素材を用意する。この場合、観察補助具１０の最終形状よりも大きな素材であればよく、たとえば略半円形状の断面を有する棒状の観察光透過部材１１′及び照明光透過部材１２′を用意するなど、特に素材形状が限定されることはない。
【００２８】
続く第２工程においては、観察光透過部材１１′と照明光透過部材１２′との間に遮光部１３′を挟持させて接着することにより、図６（ｂ）に示すような母材１０′を形成する。この結果、母材１０′は、上述した観察補助具１０より大きな外形寸法を有する形状となる。
そして、最終工程では、母材１０′を切削加工することにより、所望の寸法形状とした観察補助具１０が完成する。この結果、後工程で切削加工を行うため、互いの位置精度に特別な注意をはらうことなく比較的ラフに貼り合わせを実施しても、完成品における貼り合わせの精度を容易に確保することができる。こうして母材１０′から切削加工した観察補助具１０は、貼り合わせによるわずかな位置ずれから生じる段差等を原因として気密性に問題が生じるようなことはなく、従って、貫通孔２に取り付けた状態において良好な気密性を確保することができる。
なお、図示を省略したフランジ部１４や鉛直固定面１５等についても、これらを包含する寸法形状の母材１０′として切削加工を行えば、容易に製造することができる。
【００２９】
ところで、上述した製造方法では、最終形状より大きな母材１０′から切削加工を行って観察補助具１０を製造するものとしたが、最終形状に加工した観察光透過部材１１と照明光透過部材１２との間に遮光部１３を挟持させて接着してもよい。しかし、貼り合わせの寸法精度確保が気密性確保等の観点から極めて重要になるので、この工程での寸法精度確保は、多くの作業工数を要する困難な作業となる。
【００３０】
以下、上述した観察補助具１０を用いた内視鏡観察方法について、図１を参照して観察補助具１０の作用とともに説明する。
内視鏡先端部３１に観察光学系３２及び照明用光学系３３が配設されている内視鏡３０を用いて内部を観察する場合、観察光学系３２と対向する位置に配設される観察光透過部材１１と、照明光学系３３と対向する位置に配設される照明光透過部材１２と、観察光透過部材１１及び照明光透過部材１２の間に配設される遮光部１３とを一体化してなる観察補助具１０を観察対象の壁面１に設けた開口部である貫通孔（壁面開口部）２に装着した後、この観察補助具１０に内視鏡３０の内視鏡先端部３１を所定位置に合わせて当接させながら観察する。
【００３１】
すなわち、内視鏡３０は、内視鏡先端部３１の観察光学系３２を観察光透過部１１に位置合わせし、かつ、内視鏡先端部３１の照明光学系３３を照明光透過部１２に位置合わせして、観察補助具１０に突き当てるように当接させた状態に保持される。
このような状態で内視鏡３０による観察を行うと、図１に示すように、内視鏡先端部３１から出光される照明光が照明光透過部材１２及び拡散部１９を通って図中に破線で示すように広がり、観察壁面（観察対象の容器内壁面）３を広範囲にわたって明暗のムラなく照明する。
【００３２】
一方、観察光学系３２の視野は、図中に一点鎖線で示すように、遮光部１３で照明光透過部材１２と分離された観察光透過部材１１の出口幅（挿入方向内側の幅）により規定される。この場合、遮光部１３で遮断された楔形の観察光透過部材１１としたので、観察光透過部材１１側に照明光が入射されてハレーションを起こすようなことはなく、しかも広い視野が確保されている。
従って、良好な照明光を受けた観察壁面３を広範囲にわたって観察し、鮮明な映像を得ることができる。なお、図２は内視鏡３０により得られる映像例を示しており、ハッチングのない領域が観察光学系３２の視野となり、観察壁面３に付着した堆積物４や腐食等の内部状況を鮮明な映像から目視で確認することができる。
【００３３】
次に、観察補助具１０の構成及びその製造方法について、第１変形例を図７に基づいて説明する。なお、上述した図６と同様の部分には同じ符号を付し、その詳細な説明は省略する。
この第１変形例では、上述した遮光板の遮光部１３に代えて、遮光膜の遮光部１３Ａを採用した点が異なっている。この遮光部１３Ａは、観察光透過部材委１１と照明光透過部材１２との接合面に光を通さない遮光膜を形成したものである。なお、遮光部１３Ａの遮光膜は、少なくとも接合面のいずれか一方に形成すればよい。
【００３４】
上述した遮光部１３Ａには、たとえばアルミニウム等を蒸着することで反射面を形成した遮光膜、遮光性の塗料等を塗布して形成した塗膜による遮光膜、及び二つの光透過部材１１，１２を一体化する際に遮光性の接着剤を使用して形成した遮光膜の中からいずれを選択して採用してもよい。
このような遮光膜の遮光部１３Ａを挟持して観察補助具１０を製造する場合には、上述した製造方法と同様に、最終形状より大きな観察光透過部材１１′及び照明光透過部材１２′の素材を用意し、いずれか一方の接合面に遮光膜を形成して遮光部１３Ａ′とする。この後、観察光透過部材１１′と照明光透過部材１２′との間に遮光部１３Ａ′を挟持して接着することにより、観察補助具１０の最終形状より大きな母材が形成される。以下同様にして、この母材を所望の形状に切削加工することにより、遮蔽板の遮光部１３と同様に機能する観察補助具１０が完成する。
【００３５】
続いて、上述した観察補助具１０の構成に係る第２変形例を図９に示して説明する。なお、上述した説明と同様の部分には同じ符号を付し、その詳細な説明は省略する。
この第２変形例では、観察光透過部材１１と照明光透過部材１２と間に遮光部１３を挟持して一体化した観察補助具１０の出光端面側（貫通孔２に挿入される内面側）に段差または傾斜面を設けてある。
【００３６】
図９（ａ）に示す変形例の観察補助具１０Ａでは、観察光透過部材１１の出光端を突出させて段差ｈ１を形成した構成とされる。このような段差ｈ１を設けた構成とすれば、観察視野を広く確保したい場合に有利であり、かつ、照明光も回り込みにくくなる。
図９（ｂ）に示す変形例の観察補助具１０Ｂでは、照明光透過部材１２の出光端を突出させて段差ｈ２を形成した構成とされる。このような段差ｈ２を設けた構成とすれば、照明光透過部材１２の出光端に拡散板１９等の拡散処理を施す際、バフ仕上げ等により滑らかに仕上げた観察光透過部材１１側の出光端に誤って工具等が接触しにくくなるので、傷付き等による不良品の発生を防止できる。
【００３７】
図９（ｃ）に示す変形例の観察補助具１０Ｃでは、照明光透過部材１２の出光端を傾斜面１２ａとしている。この傾斜面１２ａは、照明光を観察方向へ屈折させる方向に傾斜するものであり、図示の例では、遮光部１３側より外側がフランジ部１４側へ近づいて短くなるよう傾斜させている。この結果、図中に矢印Ｌで示すように、照明光は観察光透過部材１１の方向、すなわち観察方向へ向けてへ屈折するので、観察対象に対して効率よく照明光を照射することができる。
【００３８】
最後に、本発明に係る観察補助具について、その第２の実施形態を図１０に基づいて説明する。なお、この実施形態の観察補助具２０は、図８（ｂ）に示した硬性鏡型の挿入部先端３１Ａに対応するものである。
この実施形態の観察補助具２０は、観察光透過部材（第１光透過部材）２１を観察光学系３２側が小径の円錐台形状とし、照明光透過部材（第２光透過部材）２２に形成した中空部２２ａに嵌合して一体化した構成とされる。
【００３９】
すなわち、観察光学系３２と対向する位置の観察光透過部材２１を円錐台形状とし、挿入部先端３１Ａの観察光学系３２と当接する外側の端面を小径として内側の出光端面側へ拡径することにより、広い観察視野を確保している。また、観察光透過部材２１の外周面には、遮光部１３Ａとなる遮光膜が形成されている。
このように構成された観察光透過部材２１を照明光透過部材２２の中空部２２ａに嵌合して接着すれば、中央部の観察光透過部材２１が観察光学系３２と対向し、その周囲に配置された照明光透過部材２２が照明光学系３３と対向する観察補助具２０となる。また、遮光部１３Ａを設けたことにより、照明光が観察光透過部材２１側へ回り込んでハレーションを起こし、鮮明な映像の妨げとなるようなことはない。
【００４０】
なお、本発明は上述した実施形態や変形例に限定されるものではなく、本発明の要旨を逸脱しない範囲内において適宜変更することができる。  
【図面の簡単な説明】
【００４１】
【図１】本発明に係る内視鏡用観察補助具について、第１の実施形態を示す構成図である。
【図２】内視鏡により得られる映像例を示す図である。
【図３】内視鏡用観察補助具の外観形状例を示す斜視図である。
【図４】図３の平面図である。
【図５】図３に示した内視鏡用観察補助具を容器壁面に取り付けた状態を示す断面図である。
【図６】図１に示した内視鏡用観察補助具の製造方法を示す母材の分解斜視図であり、（ａ）は一体化する前の状態、（ｂ）は一体化した母材の状態を示している。
【図７】図６（ａ）の第１変形例を示す一体化前の分解斜視図である。
【図８】挿入部先端の構成例を示す要部の斜視図であり、（ａ）は通常タイプ、（ｂ）は同心円タイプである。
【図９】内視鏡用観察補助具の第２変形例を示す構成図であり、（ａ）は観察光透過部材を突出させて段差を設けた例、（ｂ）は照明光透過部材を突出させて段差を設けた例、（ｃ）は照明光透過部材の出光端を傾斜面とした例を示している。
【図１０】本発明に係る内視鏡用観察補助具について、第２の実施形態を示す分解斜視図であり、（ａ）は一体化する前の状態、（ｂ）は一体化した状態を示している。
【符号の説明】
【００４２】
１    容器壁面
２    貫通孔
２ａ    内ねじ
３    観察壁面（容器内壁面）
１０，１０Ａ〜１０Ｃ，２０  内視鏡用観察補助具（観察補助具）
１１，２１    観察光透過部材（第１光透過部材）
１２，２２    照明光透過部材（第２光透過部材）
１２ａ    傾斜面
１３    遮光部（遮光板）
１３Ａ  遮光部（遮光膜）
１４    フランジ部
１５    鉛直固定面
１５ａ，１６ａ    凹溝部
１６    固定部材
１７    固定ボルト
１８    外ねじ
１９    拡散部
２２ａ    中空部
３０    内視鏡
３１，３１Ａ    挿入部先端
３２    観察光学系
３３    照明光学系
【図１】
2005323844.tif 000003
【図２】
2005323844.tif 000004
【図３】
2005323844.tif 000005
【図４】
2005323844.tif 000006
【図５】
2005323844.tif 000007
【図６】
2005323844.tif 000008
【図７】
2005323844.tif 000009
【図８】
2005323844.tif 000010
【図９】
2005323844.tif 000011
【図１０】
2005323844.tif 000012